(57)【要約】      （修正有）【課題】性能低下の原因となる使用中のスピーカの振動および移動を防止できるバッテリー駆動型サウンドデバイスを提供する。【解決手段】サウンドデバイスは、少なくとも１つのスピーカと、少なくとも１つのスピーカを有するスピーカ本体１と、振動吸収材で形成されたスリーブ２とを含み、スリーブは、スピーカ本体を収納するハウジング形状の第１部分２−２と、搭載部材を形成する弾性吸引カップ形状の第２部分２−１とを有し、第１部分および第２部分はシリコンなどの弾性プラスチック材料で一体的に形成される。【選択図】図３
0003187038.tif 000002
【実用新案登録請求の範囲】
【請求項１】
少なくとも１つのスピーカと、
前記少なくとも１つのスピーカを有するスピーカ本体と、
振動吸収材で形成されたスリーブと
を備え、
前記スリーブは、前記スピーカ本体を収納する形状の第１部分と、搭載部材を形成する形状の第２部分とを有し、
前記スリーブの前記第１部分および前記第２部分は一体的に形成される、サウンドデバイス。
【請求項２】
前記スピーカ本体はさらに、
スピーカ本体穴と、
電源と、
ユーザインタフェースと、
少なくとも１つの内蔵マイクと、
少なくとも１つの信号トランシーバと
を有する、請求項１に記載のサウンドデバイス。
【請求項３】
前記ユーザインタフェースは、少なくとも１つの制御ボタンを含んだ制御パネルを含む、請求項２に記載のサウンドデバイス。
【請求項４】
前記制御パネルは、音量調整用のボタン、電力制御用のスイッチ、および前記電源の充電用のソケットのうち少なくとも１つを含む、請求項３に記載のサウンドデバイス。
【請求項５】
前記制御パネルは、前記スピーカ本体の外部に位置付けられる、請求項４に記載のサウンドデバイス。
【請求項６】
前記信号トランシーバは、音声信号を無線受信し、前記音声信号を前記スピーカへ転送する、請求項２から５のいずれか１項に記載のサウンドデバイス。
【請求項７】
前記振動吸収材は弾性材料である、請求項１から６のいずれか１項に記載のサウンドデバイス。
【請求項８】
前記スリーブの前記第１部分は、前記スピーカ本体穴を露出した状態で前記スピーカ本体周りを覆う、請求項２から６のいずれか１項に記載のサウンドデバイス。
【請求項９】
前記搭載部材は吸引カップである、請求項１から８のいずれか１項に記載のサウンドデバイス。
【考案の詳細な説明】
【技術分野】
【０００１】
本願発明はサウンドデバイスに関し、特に、搭載部材を備えるバッテリ駆動型サウンドデバイスに関する。特定の実施形態において搭載部材は振動吸収材で形成される。
【背景技術】
【０００２】
市販されているバッテリ駆動型スピーカの多くは比較的にサイズが小さく、かつ、軽量である。市場のニーズに対応するべくこれらのバッテリ駆動型スピーカの電源はより大きくなっており、場合によっては、スピーカ本体の重量より重いものさえある。
【考案の概要】
【考案が解決しようとする課題】
【０００３】
このことが原因となり、使用中においてスピーカの振動および移動が引き起こされ、スピーカの性能を低下させている。
【課題を解決するための手段】
【０００４】
上述の課題を低減するべく本考案は、
少なくとも１つのスピーカと、
少なくとも１つのスピーカを有するスピーカ本体と、
振動吸収材で形成されたスリーブと
を含み、
スリーブは、スピーカ本体を収納する形状の第１部分と、搭載部材を形成する形状の第２部分とを有し、
スリーブの第１部分および第２部分は一体的に形成される、サウンドデバイスを提供する。
【０００５】
一態様において本考案の効果は、大気圧の動作原理に基づきスリーブの弾性である吸引カップを何らかの表面に取り付けることによりスピーカ本体を固定するという目的を達成できる点にある。このことによって、大きな電力供給によって引き起こされるスピーカ本体の振動または移動を避けることが出来、よってサウンドデバイスの実用性が増す。
【０００６】
他の態様において、振動吸収材により形成されたスリーブによって、雑音および振動がはるかに軽減される。
【図面の簡単な説明】
【０００７】
そのような目的は、本明細書の主要な部分である添付の請求項に記載される特徴を含んだ本考案に係るサウンドデバイスによって実現される。本考案の他の目的、特徴、および効果は、非限定的な例として示される以下の詳細な説明、および添付の図面によって明らかとなるであろう。
【図１】図１は、本考案に係るスピーカ本体の構造を示す。
【図２】図２は、本考案に係るスリーブの構造を示す。
【図３】図３は、本考案に係る完全に組み立てられたサウンドデバイスを示す。
【考案を実施するための形態】
【０００８】
図面に示すように本実施形態は、スピーカ本体（１）およびスリーブ（２）を有する、搭載部材を備えたバッテリ駆動型サウンドデバイスに関する。バッテリ駆動型サウンドデバイスは、内蔵電池パックまたは他の電力供給装置を含んでおり、好ましくはサウンドデバイスは、外部電源への接続なしで適切に動作出来る。内蔵電池パックまたは他の電源は、交換可能であるか充電可能であってよい。図１に示す実施形態において、内蔵バッテリを充電するのに用いられるソケットが、スピーカ本体（１）の外部、特にスピーカ本体（１）の外周に位置付けられた制御パネルを介してアクセス可能である。スピーカ本体（１）は、特にプラスチック材料で形成された上部筐体および下部筐体を備える。またスピーカ本体（１）は、上部筐体の頂部に穴を備える。本実施形態においてスピーカ本体（１）は球状であるが、スピーカ本体（１）の外観は、実際の必要性に応じてどのような形状であってもよい。スピーカ（１−１）はスピーカ本体（１）の頂部近くに配置される。
【０００９】
図２に示すようにスリーブ（２）は、スピーカ本体（１）を収納する形状の第１部分（２−２）と、搭載部材を形成する形状の第２部分（２−１）とを備え、スリーブ（２）の第１部分（２−２）および第２部分（２−１）は一体的に形成される。特にスリーブ（２）は一端に弾性吸引カップ（２−１）を備え、弾性吸引カップ（２−１）はスリーブ（２）の他端においてスピーカ本体ハウジング（２−２）に接続される。搭載をより簡便にするべく本実施形態において、弾性吸引カップ（２−１）はスリーブ（２）の底面に位置している。リーブ（２）のスピーカ本体ハウジング（２−２）は、柔軟なプラスチックケースである。シリコンなどの弾性のプラスチック材料は、雑音および振動をはるかに軽減する特性を有する。
【００１０】
スリーブ（２）のスピーカ本体ハウジング（２−２）の内径は、スピーカ本体（１）の筐体の外径に実質的に対応する。スリーブ（２）のスピーカ本体ハウジング（２−２）の外部、特に外周には、スピーカ本体（１）の少なくとも１つの制御ボタンの位置に対応する少なくとも１つの適合する突起がある。本実施形態によると、スピーカ本体ハウジング（２−２）に搭載される少なくとも１つの制御ボタンは、音量調整ボタン、および／または電力制御用のボタンを含む。好ましくは、本考案に係るサウンドデバイスには、少なくとも１つの制御ボタンを含む制御パネルを有するユーザインタフェースが設けられる。特に制御パネルは、音量調整用のボタン、および／または、電力制御用のスイッチ、および／または電源の充電用のソケットを含む。そのようなユーザインタフェースは、発光ダイオード（ＬＥＤ）またはマイクなどの他の部材も備えるのが一般的である。
【００１１】
図面に示す実施形態において、サウンドデバイスは有線インタフェースを備えていない。実際にはスピーカ本体は、音声信号を無線受信し、サウンドスピーカ（１−１）へ転送する信号トランシーバ（図示せず）を備えてよい。そのような信号トランシーバは、ＷｉＦｉ、Ｂｌｕｅｔｏｏｔｈ（登録商標）などの周知の規格を用いて動作してもよい。しかし本考案のサウンドデバイスは、音声信号を受信し、スピーカ（１−１）へ転送する有線接続（図示せず）も備えてよいことは明らかである。
【００１２】
図３に示すように、スリーブとスピーカ本体（１）とが互いに接続され一体構造を形成するようにスリーブ（２）のスピーカ本体ハウジング（２−２）は、スピーカ本体（１）周りを密に覆う。音声の伝搬品質を確保するべく、スピーカ（１−１）はスリーブ（２）のスピーカ本体ハウジング（２−２）によって覆われないようにスピーカ本体（１）の頂部近くに位置付けされる。またそのような配置により、スピーカ本体（１）に形成された穴が音声伝搬を行うべく大気に露出させられたままとなる。
【００１３】
よって振動がなく移動もしないスピーカを用いて楽しむには単純に弾性吸引カップ（２−１）を何らかの表面に取り付けることによりスピーカ本体（１）を固定すればよいので、本考案に係るサウンドデバイス（１）は利用が簡単である。
【００１４】
本明細書に例示により説明したサウンドデバイス（１）には本考案の概念の新規の思想から逸脱することなく、多くの修正を加えることが可能である。また、本考案の実用での実施において、示された詳細は、異なる形状を有するか、または他の技術的に同等の部材で置き換えられてもよいことは明らかである。よって本考案は上述したサウンドデバイスに限定されず、以下の請求項に明確に特定されるように本願発明の概念から逸脱することなく、多くの修正、改善、または同等の部品または部材を用いた置き換えを行うことが可能であることが容易に理解されるであろう。
【図１】
0003187038.tif 000003
【図２】
0003187038.tif 000004
【図３】
0003187038.tif 000005